(57)【要約】  【課題】  螺子棒１をスリーブ２内に組み込む際に芯チャック１１を損傷させない棒状化粧料繰出容器を提供する。  【解決手段】  スリーブ２・本体３を相対回転により棒状化粧料を繰り出す容器で、スリーブ２が第一の区間２１と第二の区間２２を備え、芯チャック１１に突出部を、第一の区間２１内に芯チャック１１を摺動自在に支持する溝を設け、芯チャック１１の後側の回転止め１３に突出部を、第二の区間２２内に回転止め１３を回転不能・摺動自在に支持する溝を設け、螺子棒１の挿入時、回転止め１３の突出部が第二の区間２２の溝の手前で軸線周りでの回転が規制されず、回転止め１３の突出部が第二の区間２２の溝に差し掛かったとき芯チャック１１の突出部が第一の区間２１の溝の手前にあり、回転止め１３の突出部が第二の区間２２の溝の途中で芯チャック１１の突出部が第一の区間２１の溝と嵌り合う。【選択図】  図１
2005287605.tif 000002
【特許請求の範囲】
【請求項１】
棒状化粧料を保持する芯チャックと雄螺子として形成された部分とを有する螺子棒と、この螺子棒が後側からの挿入により組み付けられ、芯チャックの後側に設けた回転止めを回転不能かつ長さ方向に摺動自在に支持する内部を有するスリーブと、前記スリーブの後部に対して軸線周りで回転可能に連結され、前記螺子棒の雄螺子と螺合する雌螺子として形成された部分を有する筒状の本体とを備え、前記スリーブと本体とを相対回転させて螺子棒に保持した棒状化粧料を繰り出す棒状化粧料繰出容器であって、
前記スリーブの内部が、前記芯チャックが摺動する前側である第一の区間と、前記回転止めが摺動する後側である第二の区間とを備えており、
前記芯チャックが、外側に向けて突出する突出部を有しており、この突出部と嵌り合うことで芯チャックを長さ方向に摺動自在に支持する溝が前記第一の区間内に形成されており、
前記回転止めが、外側に向けて突出する突出部を有しており、この突出部と嵌り合うことで回転止めを回転不能かつ長さ方向に摺動自在に支持する溝が前記第二の区間内に形成されており、
前記螺子棒の挿入時、前記回転止めの突出部が第二の区間の溝の手前にあるときに螺子棒の軸線周りでの回転が規制されず、回転止めの突出部が第二の区間の溝に差し掛かったときに前記芯チャックの突出部が第一の区間の溝の手前にあり、回転止めの突出部が第二の区間の溝の途中にあるときに芯チャックの突出部が第一の区間の溝と嵌り合うことを特徴とする棒状化粧料繰出容器。
【請求項２】
前記螺子棒が、その繰り出し動作の前進限が前記芯チャック以外の螺子棒の部分によって規制されるものであることを特徴とする請求項１に記載の棒状化粧料繰出容器。
【発明の詳細な説明】
【技術分野】
【０００１】
本発明は、例えば使用者が内蔵される棒状化粧料を適宜繰り出して使用する目的に用いられる棒状化粧料繰出容器に関する。
【背景技術】
【０００２】
従来の棒状化粧料繰出容器としては、例えば棒状化粧料を保持する芯チャックと雄螺子として形成された部分とを有する螺子棒と、螺子棒に設けた回転止めを回転不能かつ長さ方向に摺動自在に支持する内部を有するスリーブと、スリーブの後部に対して軸線周りで回転可能に連結され、螺子棒の雄螺子と螺合する雌螺子として形成された部分を有する筒状の本体とを備え、スリーブと本体とを相対回転させて螺子棒に保持した棒状化粧料を繰り出すものであって、スリーブの内部が、芯チャックが摺動する前側である第一の区間と、回転止めが摺動する後側である第二の区間とを備えており、芯チャックが、外側に向けて突出する突出部を有しており、この突出部と嵌り合うことで芯チャックを長さ方向に摺動自在に支持する溝が第一の区間内に形成されており、回転止めが、外側に向けて突出する突出部を有しており、この突出部と嵌り合うことで回転止めを回転不能かつ長さ方向に摺動自在に支持する溝が第二の区間内に形成されているものが開示されている（例えば、特許文献１参照）。
【特許文献１】特開−号公報（特願２００２−２６４３７９）
【発明の開示】
【発明が解決しようとする課題】
【０００３】
ところで、近年の消費者ニーズによれば、棒状化粧料繰出容器においては、棒状化粧料が芯チャックから抜けたり芯チャック位置で折れたりしない構造が求められており、そのためには、螺子棒に付与されたトルクによって芯チャックが変形することがない構造が必要とされている。
【０００４】
従来の棒状化粧料繰出容器によれば、回転止めを芯チャックに設けることを避けて芯チャックの後側に設けており、螺子棒に付与されたトルクが芯チャックまで伝達されないため、芯チャック自体を変形させないことが可能となっている。
しかしながら、従来の棒状化粧料繰出容器においては、芯チャックの突出部が棒状化粧料を保持する役割を果たすのに対し、回転止めの突出部は螺子棒及びスリーブの回転を拘束する役割を果たし、両者は別異のものであって第一の区間内の溝と第二の区間内の溝とが前後に不連続となって境目に段差が形成される場合も多いことから、螺子棒をスリーブ内に組み付ける作業を行う過程で芯チャックを損傷させてしまう場合も起こり得る。
すなわち、螺子棒をスリーブ内に組み付ける作業は、螺子棒を後側からスリーブ内に挿入すること、具体的には、芯チャックの突出部を第二の区間の奥側にある第一の区間内の溝に嵌め込むことにより行うが、かかる作業を行う過程で芯チャックが境目の段差に突き当たった場合でも、作業者は気付かずに挿入する動作を継続させてしまう場合も少なくないと考えられ、かかる場合には、芯チャックを損傷させてしまうことになる。
【０００５】
ここで、従来の棒状化粧料繰出容器によれば、スリーブに形成された開口を通じて螺子棒をスリーブ内に容易に組み付ける作業を行うことが可能となるが、かかる開口をスリーブが有していない場合も多い。
【０００６】
そこで、本発明の課題は、螺子棒をスリーブ内に組み込む作業を行う過程で芯チャックを損傷させる事態を確実に回避することが可能となるように、第一の区間内の溝と第二の区間内の溝との境目に段差が形成される場合でも、芯チャックが境目の段差に突き当たらないようにしながら芯チャックの突出部を第二の区間の奥側にある第一の区間内の溝に容易に嵌め込むことができる棒状化粧料繰出容器を提供することにある。
【課題を解決するための手段】
【０００７】
上記課題を解決するため、本発明に係る棒状化粧料繰出容器は、棒状化粧料を保持する芯チャックと雄螺子として形成された部分とを有する螺子棒と、この螺子棒が後側からの挿入により組み付けられ、芯チャックの後側に設けた回転止めを回転不能かつ長さ方向に摺動自在に支持する内部を有するスリーブと、スリーブの後部に対して軸線周りで回転可能に連結され、螺子棒の雄螺子と螺合する雌螺子として形成された部分を有する筒状の本体とを備え、スリーブと本体とを相対回転させて螺子棒に保持した棒状化粧料を繰り出す棒状化粧料繰出容器であって、スリーブの内部が、芯チャックが摺動する前側である第一の区間と、回転止めが摺動する後側である第二の区間とを備えており、芯チャックが、外側に向けて突出する突出部を有しており、この突出部と嵌り合うことで芯チャックを長さ方向に摺動自在に支持する溝が第一の区間内に形成されており、回転止めが、外側に向けて突出する突出部を有しており、この突出部と嵌り合うことで回転止めを回転不能かつ長さ方向に摺動自在に支持する溝が第二の区間内に形成されており、螺子棒の挿入時、回転止めの突出部が第二の区間の溝の手前にあるときに螺子棒の軸線周りでの回転が規制されず、回転止めの突出部が第二の区間の溝に差し掛かったときに芯チャックの突出部が第一の区間の溝の手前にあり、回転止めの突出部が第二の区間の溝の途中にあるときに芯チャックの突出部が第一の区間の溝と嵌り合うことを特徴としている。
ここで、雄螺子として形成部分には、外側表面に間欠的に配される突起群又は外側表面に螺旋状かつ間欠的に配される突起群であってねじ山と同様な働きをするものが形成された螺子棒の部分を含む。また、雌螺子として形成された部分には、内側表面に間欠的に配される突起群又は内側表面に螺旋状かつ間欠的に配される突起群であってねじ山と同様な働きをするものが形成された本体の部分を含む。
このような棒状化粧料繰出容器によれば、螺子棒の挿入時、回転止めの突出部が第二の区間の溝の手前にあるときに螺子棒の軸線周りでの回転が規制されず、回転止めの突出部が第二の区間の溝に差し掛かったときに芯チャックの突出部が第一の区間の溝の手前にあり、回転止めの突出部が第二の区間の溝の途中にあるときに芯チャックの突出部が第一の区間の溝と嵌り合うため、螺子棒をスリーブ内に組み込む作業を行う過程において、芯チャックの突出部が第一の区間の溝と嵌り合う前のタイミングで、回転止めの突出部が第二の区間の溝と嵌り合うことが可能となり、しかも、第二の区間の溝がガイドレールとなり、芯チャックの突出部が第一の区間の溝と嵌り合うように導かれることが可能となる。
したがって、これによれば、第一の区間内の溝と第二の区間内の溝との境目に段差が形成される場合でも、芯チャックが境目の段差に突き当たらないようにしながら芯チャックの突出部を第二の区間の奥側にある第一の区間内の溝に容易に嵌め込むことが可能となり、これにより、螺子棒をスリーブ内に組み込む作業を行う過程で芯チャックを損傷させる事態を確実に回避することが可能となる。
【０００８】
このような技術的手段において、芯チャックの突出部が第一の区間内の溝に嵌め込まれた後において芯チャックが螺子棒の繰り出し動作の前進限を規制するものとしてスリーブ内の最前部に突き当たる事態を有効に回避し得るようにして、螺子棒をスリーブ内に組み込む作業を行う過程で芯チャックを損傷させる事態をさらに一層確実に回避しようとする観点からすれば、螺子棒が、その繰り出し動作の前進限が芯チャック以外の螺子棒の部分によって規制されるものであることが好ましい。
【発明の効果】
【０００９】
本発明に係る棒状化粧料繰出容器によれば、螺子棒をスリーブ内に組み込む作業を行う過程で芯チャックを損傷させる事態を確実に回避できることとなる。
【発明を実施するための最良の形態】
【００１０】
以下、添付図面に基づいて本発明の実施の形態を詳細に説明する。
【００１１】
図１は本発明の一実施の形態に係る棒状化粧料繰出容器の全体構成を示す縦断面斜視図、図２は本発明の一実施の形態に係る棒状化粧料繰出容器の全体構成を示す縦断面図、図３は同棒状化粧料繰出容器の組付開始状況を示す縦断面図、図４は図３のＡ−Ａ断面図、図５は同棒状化粧料繰出容器の組付途中状況を示す縦断面図、図６は図５のＢ−Ｂ断面図、図７は同棒状化粧料繰出容器の組付終了状況を示す縦断面図、図８は図７のＣ−Ｃ断面図、図９は同Ｄ−Ｄ断面図である。
【００１２】
本実施の形態において、棒状化粧料繰出容器は、例えば使用者が内蔵される棒状化粧料たるアイブロー１０を適宜繰り出して使用する目的に用いられるものとして構成されている（図１〜図３参照）。
【００１３】
そして、この棒状化粧料繰出容器は、これらの図に示すように、螺子棒１と、筒状のスリーブ２と、筒状の本体３とを備えるものとして構成されている。
【００１４】
以下、これらの各構成要素についてさらに詳細に説明する。
【００１５】
（１）螺子棒１
螺子棒１は、図１〜図３に示すように、棒状化粧料を保持する芯チャック１１と、雄螺子として形成された部分１２とを有するものとして構成されている。
【００１６】
そして、この螺子棒１は、これらの図に示すように、芯チャック１１の後側に間隔をおいて回転止め１３が設けられたものとして構成されている。
【００１７】
このような螺子棒１により、後述するスリーブ２及び本体３内に収容して組み付けることが可能となっており、その結果、スリーブ２と本体３とを相対回転させて螺子棒１に保持したアイブロー１０を繰り出し得る棒状化粧料繰出容器の基本的な構成を実現させることが可能となっている。
【００１８】
具体的には、芯チャック１１は、図１〜図３及び図５に示すように、外側に向けて突出し、かつ、長さ方向に延びる突条１１ａを有するものとして構成されている。
【００１９】
ここで、これらの図に示すように、芯チャック１１に外側に向けて突出し、かつ、長さ方向に延びる突条１１ａを有することを要求するのは、芯チャック１１の突条１１ａが第一の区間２１の溝２１ａと嵌り合うようにして芯チャック１１をスリーブ２内で長さ方向に摺動自在に支持することを可能とすることにより、より安定したアイブロー１０の繰出動作を行うことが可能な棒状化粧料繰出容器とするためである。したがって、このような役割を果たすものであれば、本発明において外側に向けて突出し、かつ、長さ方向に延びる突条の代わりに、例えば外側に向けて突出する突起その他の突出部を用いることが可能である。
【００２０】
また、回転止め１３は、図１〜図３、図７及び図９に示すように、外側に向けて突出し、かつ、長さ方向に延びる突条１３ａを有するものとして構成されている。
【００２１】
ここで、これらの図に示すように、回転止め１３に外側に向けて突出し、かつ、長さ方向に延びる突条１３ａを有することを要求するのは、回転止め１３の突条１３ａが第二の区間２２の溝２２ａと嵌り合うように導かれることを可能とすることにより、芯チャック１１が境目の段差２３に突き当たらないようにしながら芯チャック１１の突条１１ａを第一の区間２１の溝２１ａに容易に嵌め込むことが可能な棒状化粧料繰出容器とするためである。したがって、このような役割を果たすものであれば、本発明において外側に向けて突出し、かつ、長さ方向に延びる突条１３ａの代わりに、例えば外側に向けて突出する突起その他の突出部を用いることが可能である。
【００２２】
本実施の形態においては、螺子棒１の挿入時、回転止め１３の突条１３ａが第二の区間２２の溝２２ａの手前にあるときに螺子棒１の軸線周りでの回転が規制されず、回転止め１３の突条１３ａが第二の区間２２の溝２２ａに差し掛かったときに芯チャック１１の突条１１ａが第一の区間２１の溝２１ａの手前にあり、回転止め１３の突条１３ａが第二の区間２２の溝２２ａの途中にあるときに芯チャック１１の突条１１ａが第一の区間２１の溝２１ａと嵌り合うものとして構成されている。
【００２３】
すなわち、本実施の形態における螺子棒１は、芯チャック１１が第二の区間２２内にある位置であって回転止め１３が第二の区間２２の後側にある位置（図４参照）で、軸線周りに略６０°回転可能であり（図５参照）、かつ、回転止め１３の突条１３ａと第二の区間２２の溝２２ａとが嵌り合っている状態で（図７及び図９参照）、芯チャック１１が第二の区間２２内にある位置（図６参照）と芯チャック１１の突条１１ａが第一の区間２１の溝２１ａと嵌り合う位置（図８及び図９参照）との間を長さ方向に移動可能であるものとして構成されている。
【００２４】
このような螺子棒１により、螺子棒１をスリーブ２内に組み込む作業を行う過程において、芯チャック１１の突条１１ａが第一の区間２１の溝２１ａと嵌り合う前のタイミングで、回転止め１３の突条１３ａが第二の区間２２の溝２２ａと嵌り合うことが可能となっており、しかも、第二の区間２２の溝２２ａをガイドレールとして芯チャック１１の突条１１ａが第一の区間２１の溝２１ａと嵌り合うように導かれることが可能となっている。
【００２５】
換言すれば、このような螺子棒１により、芯チャック１１が境目の段差２３に突き当たらないようにしながら芯チャック１１の突条１１ａを第二の区間２２の奥側にある第一の区間２１の溝２１ａに容易に嵌め込むことが可能な棒状化粧料繰出容器を実現させることが可能となっている。
【００２６】
ここで、図４及び図５に示すように、螺子棒１に芯チャック１１が第二の区間２２内にある位置であって回転止め１３が第二の区間２２の後側にある位置で、軸線周りに略６０°回転可能であることを要求するのは、回転止め１３の突条１３ａが第二の区間２２の溝２２ａと嵌り合う前のタイミングで、第一の区間２１の溝２１ａ等が芯チャック１１を拘束することで螺子棒１が回転不能となり回転止め１３の突条１３ａが第二の区間２２の溝２２ａと嵌り合うことができなくなる状況を確実に排除することにより、芯チャック１１が第一の区間２１の溝２１ａと第二の区間２２の溝２２ａとの段差２３に突き当たらないようにしながら芯チャック１１の突条１１ａを第一の区間２１の溝２１ａに容易に嵌め込むことが可能な棒状化粧料繰出容器の基本的な機能を担保するためである。したがって、このような役割を果たすものであれば、本発明において芯チャック１１が第二の区間２２内にある位置であって回転止め１３が第二の区間２２の後側にある位置で軸線周りに略６０°回転可能である螺子棒１の代わりに、例えば芯チャック１１が第二の区間２２内にある位置であって回転止め１３が第二の区間２２の後側にある位置で軸線周りに全回転可能である螺子棒その他の芯チャック１１の突条１１ａを第一の区間２１の溝２１ａに容易に嵌め込むのに必要な角度の回転が可能である螺子棒を用いても差し支えない。
【００２７】
本実施の形態における螺子棒１は、図３に示すように、その繰り出し動作の前進限が芯チャック１１以外の螺子棒１の部分である回転止め１３によって規制されるものとして構成されている。
【００２８】
具体的には、螺子棒１は、同図に示すように、第一の区間２１の溝２１ａと第二の区間２２の溝２２ａとの境目の段差２３に回転止め１３が当接することにより、その繰り出し動作の前進限が規制されるものとして構成されている。
【００２９】
このような螺子棒１により、芯チャック１１の突条１１ａが第一の区間２１の溝２１ａに嵌め込まれた後において芯チャック１１が螺子棒１の繰り出し動作の前進限を規制するものとしてスリーブ２内の最前部に突き当たる事態を有効に回避することが可能となっており、その結果、螺子棒１をスリーブ２内に組み込む作業を行う過程で芯チャック１１を損傷させる事態をさらに一層確実に回避することが可能となっている。
【００３０】
（２）スリーブ２
スリーブ２は、図１〜図３に示すように、螺子棒１が後側からの挿入により組み付けられ、芯チャック１１の後側に設けた回転止め１３を回転不能かつ長さ方向に摺動自在に支持する内部を有するものとして構成されている。
【００３１】
このようなスリーブ２により、後述する本体３とともに内部に螺子棒１を収容して組み付けることが可能となっており、その結果、スリーブ２と本体３とを相対回転させて螺子棒１に保持したアイブロー１０を繰り出し得る棒状化粧料繰出容器の基本的な構成を実現させることが可能となっている。
【００３２】
本実施の形態において、スリーブ２の内部は、図１〜図３、図４、図６及び図８に示すように、芯チャック１１が摺動する前側である第一の区間２１と、回転止め１３が摺動する後側である第二の区間２２とを備えるものとして構成されており、第一の区間２１の溝２１ａと第二の区間２２の溝２２ａとの境目には前述した段差２３が形成されている。
【００３３】
ここで、第一の区間２１内には、これらの図に示すように、芯チャック１１の突条１１ａと嵌り合うことで芯チャック１１を長さ方向に摺動自在に支持する溝２１ａが形成されている。また、第二の区間２２内には、これらの図に示すように、回転止め１３の突条１３ａと嵌り合うことで回転止め１３を回転不能かつ長さ方向に摺動自在に支持する溝２２ａが形成されている。
【００３４】
（３）本体３
本体３は、図１〜図３に示すように、スリーブ２の後部に対して軸線周りで回転可能に連結され、螺子棒１の雄螺子として形成された部分１２と螺合する雌螺子として形成された部分３１と、チップ３２とを有するものとして構成されている。
【００３５】
このような本体３により、スリーブ２とともに内部に螺子棒１を収容して組み付けることが可能となっており、その結果、スリーブ２と本体３とを相対回転させて螺子棒１に保持したアイブロー１０を繰り出し得る棒状化粧料繰出容器の基本的な構成を実現させることが可能となっている。
【００３６】
上記したように、本実施の形態における棒状化粧料繰出容器においては、螺子棒１の挿入時、回転止め１３の突条１３ａが第二の区間２２の溝２２ａの手前にあるときに螺子棒１の軸線周りでの回転が規制されず、回転止め１３の突条１３ａが第二の区間２２の溝２２ａに差し掛かったときに芯チャック１１の突条１１ａが第一の区間２１の溝２１ａの手前にあり、回転止め１３の突条１３ａが第二の区間２２の溝２２ａの途中にあるときに芯チャック１１の突条１１ａが第一の区間２１の溝２１ａと嵌り合うものとして構成されている。
【００３７】
つまり、このような棒状化粧料繰出容器によれば、螺子棒１をスリーブ２内に組み込む作業を行う過程において、芯チャック１１の突条１１ａが第一の区間２１の溝２１ａと嵌り合う前のタイミングで、回転止め１３の突条１３ａが第二の区間２２の溝２２ａと嵌り合うことが可能となっており、しかも、第二の区間２２の溝２２ａがガイドレールとなり、芯チャック１１の突条１１ａが第一の区間２１の溝２１ａと嵌り合うように導かれることが可能となっている。
【００３８】
したがって、これによれば、第一の区間２１の溝２１ａと第二の区間２２の溝２２ａとの境目に段差２３が形成される場合でも、芯チャック１１が境目の段差２３に突き当たらないようにしながら芯チャック１１の突条１１ａを第二の区間２２の奥側にある第一の区間２１の溝２１ａに容易に嵌め込むことが可能となっており、これにより、螺子棒１をスリーブ２内に組み込む作業を行う過程で芯チャック１１を損傷させる事態を確実に回避することが可能となっている。
【００３９】
以上、本実施の形態においては、棒状化粧料としてアイブロー１０を用いる場合について説明したが、本発明は、このような実施の形態に限られるものではない。例えばアイライナーナー、リップライナー、コンシーラーその他の棒状化粧料を用いる場合にも広く適用可能である。
【図面の簡単な説明】
【００４０】
【図１】本発明の一実施の形態に係る棒状化粧料繰出容器の全体構成を示す縦断面斜視図である。
【図２】同棒状化粧料繰出容器の全体構成を示す縦断面図である。
【図３】同棒状化粧料繰出容器の組付開始状況を示す縦断面図である。
【図４】図３のＡ−Ａ断面図である。
【図５】同棒状化粧料繰出容器の組付途中状況を示す縦断面図である。
【図６】図５のＢ−Ｂ断面図である。
【図７】同棒状化粧料繰出容器の組付終了状況を示す縦断面図である。
【図８】図７のＣ−Ｃ断面図である。
【図９】同Ｄ−Ｄ断面図である。
【符号の説明】
【００４１】
１ 螺子棒
２ スリーブ
３ 本体
１０ アイブロー
１１ 芯チャック
１１ａ 突条
１２ 雄螺子として形成された部分
１３ 回転止め
１３ａ 突条
２１ 第一の区間
２１ａ 溝
２２ 第二の区間
２２ａ 溝
２３ 段差
３１ 雌螺子として形成された部分
３２ チップ
【図１】
2005287605.tif 000003
【図２】
2005287605.tif 000004
【図３】
2005287605.tif 000005
【図４】
2005287605.tif 000006
【図５】
2005287605.tif 000007
【図６】
2005287605.tif 000008
【図７】
2005287605.tif 000009
【図８】
2005287605.tif 000010
【図９】
2005287605.tif 000011
【手続補正書】
【提出日】平成16年6月1日(2004.6.1)
【手続補正１】
【補正対象書類名】図面
【補正対象項目名】全図
【補正方法】変更
【補正の内容】
【図１】
2005287605.tif 000012
【図２】
2005287605.tif 000013
【図３】
2005287605.tif 000014
【図４】
2005287605.tif 000015
【図５】
2005287605.tif 000016
【図６】
2005287605.tif 000017
【図７】
2005287605.tif 000018
【図８】
2005287605.tif 000019
【図９】
2005287605.tif 000020